【事件の表示】
　特願２０１５−　３３４００「可搬型決済端末装置」拒絶査定不服審判事件〔平成２７年１２月　３日出願公開、特開２０１５−２１５８７４、請求項の数（３）〕について、次のとおり審決する。
【結　論】
　原査定を取り消す。
　本願の発明は、特許すべきものとする。
【理　由】
第１　手続の経緯
　本件審判請求に係る出願（以下，「本願」という。）は，平成２６年５月８日に出願した特願２０１４−０９６９０４号（以下，「原願」という。）の一部を平成２７年２月２３日に新たな特許出願としたものであって，その手続の経緯は以下のとおりである。
　　平成２９年　８月　９日付け　：拒絶理由（最後）の通知
　　平成２９年１０月１６日　　　：意見書，手続補正書の提出
　　平成２９年１０月３１日付け　：平成２９年１０月１６日の手続補正に
　　　　　　　　　　　　　　　　　ついての補正の却下の決定，
　　　　　　　　　　　　　　　　　拒絶査定（原査定）
　　平成３０年　２月　７日　　　：審判請求書，手続補正書の提出
　　平成３０年　９月１４日付け　：拒絶理由の通知（当審）
　　平成３０年１０月　１日　　　：意見書，手続補正書の提出
第２　本願発明
　本願請求項１−３に係る発明（以下，それぞれ「本願発明１」−「本願発明３」という。）は，平成３０年１０月１日付けの手続補正で補正された特許請求の範囲の請求項１−３に記載された事項により特定される発明であり，本願発明１−３は以下のとおりの発明である。
「　【請求項１】
　筐体に収容され，決済に関する金額等を表示する第１の入力表示部を備え，決済アプリケーション以外の業務アプリケーションを単独で実行する非セキュアな第１の情報処理部と，
　前記筐体に収容され，決済に用いられるカードが正当な者によって保有されているか否かの認証に用いられる認証情報が入力されるとともに，前記カードの認証に必要な認証情報の入力表示を行う第２の入力表示部とを備え，前記決済アプリケーションで実行される決済処理の一部を構成する前記認証情報を用いた認証処理を単独で実行する耐タンパ性を有するセキュアな第２の情報処理部と，
　耐タンパ性を有するセキュアモードであることを示すセキュア表示，又は，耐タンパ性を有しない非セキュアモードであることを示す非セキュア表示を，前記第１の情報処理部のセキュア状態フラグの変更に応じた，前記第２の情報処理部の点灯および消灯の制御により行うセキュア状態表示部と，を有し，
　前記決済アプリケーションは，前記第１の情報処理部と前記第２の情報処理部との協働によって実行され，
　前記第１の入力表示部と前記第２の入力表示部とは，矩形状となる前記筐体の操作面長手方向に沿うように並んで配置される，
　可搬型決済端末装置。
　　【請求項２】
　前記第１の入力表示部及び前記第２の入力表示部の各操作面は同一の平面上に形成される，
　請求項１に記載の可搬型決済端末装置。
　　【請求項３】
　前記セキュア状態表示部は，前記第１の入力表示部と前記第２の入力表示部との間に配置される，
　請求項１に記載の可搬型決済端末装置。」
第３　引用文献，引用発明等
１　引用文献１について
　原査定の拒絶の理由に引用され，原願の出願前に頒布又は電気通信回線を通じて公衆に利用可能となった引用文献１（米国特許出願公開第２００４／０１６７８２０号明細書）には，図面とともに次の事項が記載されている。
（当審注：　下線は，参考のために当審で付与したものである。以下，同様である。）
Ａ　「 [0001] 
The present invention generally relates to a payment terminal system. In particular, the present invention relates to systems and methods for a handheld terminal for table side ordering and a mobile companion.
（当審訳：　[0001] 
本発明は一般に支払い端末システムに関する。特に，本発明はテーブルサイドでの注文のためのハンドヘルドターミナルと，モバイルコンパニオンのシステムと方法に関するものである。
Ｂ　「 [0028] The handheld terminal 110 can interact with one or more mobile companions, 120 1 through 120 N , N being an integer greater than or equal to one. The mobile companion(s), 120 1 through 120 N can be referred to collectively as mobile companion(s) 120 . The mobile companion(s) 120 can be located at one or more tables in the restaurant to facilitate customer payment. The handheld terminal 110 and mobile companion(s) 120 can communicate via a plurality of methods. For example, the handheld terminal 110 and mobile companion(s) 120 can connect to each other physically, via a cable and/or mating parts. Additionally, or alternatively, the handheld terminal 110 and mobile companion(s) 120 can communicate via a wireless network, such as a WAN or LAN. It is to be appreciated that any suitable communication protocol can be employed. For example, the network can employ Bluetooth, Ethernet (IEEE 802.3), Wireless Ethernet (IEEE 802.11), PPP (point-to-point protocol), point-to-multipoint short-range RF (Radio Frequency), WAP (Wireless Application Protocol), IP, lPv6, TCP and User Datagram Protocol (UDP). 
The server can transmit an itemized bill and payment amount from the handheld terminal 110 to a mobile companion 120 . The customer can view the bill and payment amount on a display of the mobile companion 120 .
（当審訳：　[0028] ハンドヘルドターミナル110は1つ以上のモバイルコンパニオン120 1から120 N(Nは1以上の整数)と対話することができる。モバイルコンパニオン120 1から120 Nを総体としてモバイルコンパニオン120と呼ぶこととする。モバイルコンパニオン120は顧客の支払いを促進するためにレストランで1つ以上のテーブルに配置することができる。ハンドヘルドターミナル110およびモバイルコンパニオン120は複数の方法によって通信することができる。例えば，ハンドヘルドターミナル110およびモバイルコンパニオン120は，ケーブルおよび／または結合部によって，互いに物理的に接続することができる。さらに／あるいは，ハンドヘルドターミナル110およびモバイルコンパニオン120はWANやLANといったワイヤレス・ネットワークによって通信することができる。いかなる適切な通信プロトコルも使用することができることが認識されることになっている。例えば，ネットワークはブルートゥース，イーサネット(IEEE 802.3)，無線イーサネット(IEEE 802.11)，PPP(二地点間のプロトコル)，ポイントからマルチポイントへのショートレンジRF(無線周波数)，WAP(無線アプリケーション・プロトコル)，IP，lPv6，TCPおよびユーザ・データグラム・プロトコル(UDP)を使用することができる。
ウェイターはハンドヘルドターミナル110からモバイルコンパニオン120に明細付き請求書と支払金額を送信することができる。顧客は，モバイルコンパニオン120のディスプレイ上の請求書と支払金額を見ることができる。
Ｃ　「 [0036] FIG. 2 illustrates an example of a handheld terminal 200 in accordance with an aspect of the present invention. The handheld terminal 200 includes a housing 210 which can be constructed from a high strength plastic, metal, or any other suitable material and is rugged enough to withstand a drop by a server. Moreover, the handheld terminal 200 can include a protective guard 215 around a portion of the housing 210 to protect the terminal 200 in the event of a drop. 
The handheld terminal 200 includes a display 220 
software operating on the handheld terminal 200 and/or mobile companion may provide for the display of restaurant information, menu information, specials, price information, etc. to a user
The display 220 can also be a touch screen,
（当審訳：　[0036] 図2は，本発明の態様に従ってハンドヘルドターミナル200の例を説明したものである。ハンドヘルドターミナル200は筐体210を含んでおり，これは高強度プラスチック，金属あるいは他の適切な材料から構築することができ，ウェイターによる落下に耐えられる十分な頑丈さを有しているものである。さらに，ハンドヘルドターミナル200は，落下の際にはターミナル200を保護するための筐体210の一部の周囲に保護ガード215を含み得る。
ハンドヘルドターミナル200はディスプレイ220を含んでいる。
ハンドヘルドターミナル200および／またはモバイルコンパニオンで作動するソフトウェアは，ユーザーにレストラン情報，メニュー情報，スペシャル，価格情報などの表示を提供してもよい。
ディスプレイ220はさらにタッチ・スクリーンになり得
Ｄ　「 [0045] FIG. 6 illustrates yet another example of a mobile companion 600 in accordance with an aspect of the present invention. The mobile companion 600 includes a housing 610 which can be constructed from a high strength plastic, metal, or any other suitable material and is rugged enough to withstand a drop by a server and/or customer. Moreover, the mobile companion 600 can include a protective guard 615 around a portion of the housing 610 to protect the mobile companion 600 in the event of a drop. 
A display 620 is disposed within the housing to display data or other information relating to ordinary operation of the mobile companion 600 and/or a handheld terminal.
The display can also be a touch screen
[0046] The mobile companion 600 can also include a plurality of input devices. For example, 
the mobile companion can include user input keys 630 , including a pin pad 632
to allow a customer to privately enter a PIN. The mobile companion can also include a magnetic stripe reader 640 and/or smart card reader and/or scanner (not shown). The magnetic stripe reader 640 can receive credit card, bank card, etc. information as a customer payment option.
（当審訳：　[0045] 図6は，本発明の態様に従ってモバイルコンパニオン600の別の例をさらに説明する。モバイルコンパニオン600は筐体610を含んでおり，これは高強度プラスチック，金属あるいは他の適切な材料から構築することができ，ウェイターおよび／または顧客による落下に耐えられる十分な頑丈さを有しているものである。さらに，モバイルコンパニオン600は，落下の際にはモバイルコンパニオン600を保護するための筐体610の一部の周囲に保護ガード615を含み得る。
ディスプレイ620は筐体内に配置され，モバイルコンパニオン600および／またはハンドヘルドターミナルの通常のオペレーションに関係のあるデータあるいは他の情報を表示する。
ディスプレイはさらにタッチ・スクリーンになり得
[0046] モバイルコンパニオン600はさらに複数の入力装置を含むことができる。例えば，
モバイルコンパニオンは，ユーザーに情報および／またはオペレーションコマンドの入力をさせるための，ピンパッド632を含むユーザー入力キー630を含めることができる。
顧客が秘密にPINを入力することができる
モバイルコンパニオンはさらに磁気ストライプ読取機構640および／またはスマートカードリーダおよび／またはスキャナー(図示せず)を含むことができる。磁気ストライプ読取機構640はクレジットカード，バンクカードなど，顧客の支払い選択の情報を読み取ることができる。
Ｅ　「 [0050] FIGS. 7 - 10 depict examples of payment terminal systems that can be employed in accordance with an aspect of the present invention. FIG. 7 illustrates a system with three components: a handheld terminal 710 for use by a server to provide customer services; a mobile companion 720 for use by a customer to pay for a transaction; and an external printer 730 to provide a receipt for the restaurant and/or customer. 
FIG. 8 illustrates a system with two components: a handheld terminal 810 , which includes the functionalities of both handheld terminal 710 and mobile companion 720 
（当審訳：　[0050] 図7-10は，本発明の態様に従って使用することができる支払端末システムの例が表されている。図7はシステムを3つのコンポーネント，顧客にサービスを提供するウェイターによる使用のためのハンドヘルドターミナル710;　トランザクションのために支払う顧客による使用のためのモバイルコンパニオン720; またレストランおよび／または顧客にレシートを提供する外部プリンタ730，が示される。
図8には，ハンドヘルドターミナル710およびモバイルコンパニオン720の両方の機能性を含んでいるハンドヘルドターミナル810
からなるシステムが示される。
Ｆ　「 [0060] The handheld terminal and/or mobile companion 1300 includes a communication subsystem 1325 that includes a data communication port 1328 , which is employed to interface the processor 1305 with the main computer. The handheld terminal and/or mobile companion 1300 also optionally includes an RF section 1330 connected to the processor 1305 . The RF section 1330 includes an RF receiver 1335 , which receives RF transmissions from the main computer for example via an antenna 1340 and demodulates the signal to obtain digital information modulated therein. The RF section 1330 also includes an RF transmitter 1345 for transmitting information to the main computer, for example, in response to an operator input at a operator input device 1350 (e.g., keypad, pin pad, touchscreen) or the completion of a transaction. Peripheral devices, such as a printer 1355 , signature pad 1360 , magnetic stripe reader 1365 , smart card reader 1368 , and barcode scanner/imager 1370 can also be coupled to the handheld terminal and/or mobile companion 1300 through the processor 1305 .
[0061] 
The handheld terminal and/or mobile companion 1300 also includes a tamper resistant grid 1375 to provide for secure payment transactions.
（当審訳：　[0060] ハンドヘルドターミナルおよび／またはモバイルコンパニオン1300は，メインコンピューターとプロセッサー1305を接続するために使用されるデータ通信ポート1328を含む通信サブシステム1325を含んでいる。ハンドヘルドターミナルおよび／またはモバイルコンパニオン1300は，プロセッサー1305に接続されたRF部1330をさらに任意に含んでいる。RF部1330は，例えばアンテナ1340によってメインコンピューターからRF送信を受け取って変調されたデジタル情報を得る信号を復調する，RF受信機1335を含んでいる。RF部1330はさらに，オペレーターの入力装置1350(例えばキーパッド，ピンパッド，タッチスクリーン)あるいはトランザクションの完了のオペレーターの入力に応じて，メインコンピューターへ情報を送信するためのRF送信機1345を含んでいる。周辺機器，例えばプリンタ1355，署名パッド1360，磁気ストライプ読取機構1365，スマートカードリーダ1368およびバーコード・スキャナー/イメージャー1370も，プロセッサー1305を通ってハンドヘルドターミナルおよび／またはモバイルコンパニオン1300に接続される。
[0061] 
ハンドヘルドターミナルおよび／またはモバイルコンパニオン1300は，さらに安全な支払取引を提供するための耐タンパ性のグリッド1375を含んでいる。
Ｇ　「 [0063] Turning now to FIG. 14, a methodology 1400 for fabricating a portable electronic device is depicted. The methodology begins at 1410 where a tamper resistant grid is provided to facilitate secure payment transactions. At 1420 , it is determined whether the portable electronic device will be a handheld terminal or a mobile companion. 
If the portable electronic device is a handheld terminal, a general purpose operating system is provided at 1430 
（当審訳：　[0063] 図14に移って，携帯用電子機器を作り上げるための方法論1400が表されている。耐タンパ性のグリッドが安全な支払い取引を促進するために提供される場合，方法論は1410で始まる。1420で，携帯用電子機器がハンドヘルドターミナルあるいはモバイルコンパニオンになるかどうかが決定される。
携帯用電子機器がハンドヘルドターミナルである場合，汎用オペレーティング・システムが1430で提供される。
Ｈ
　図８には，ハンドヘルドターミナル710とモバイルコンパニオン720とを同一の筐体に収めたハンドヘルドターミナル810が示されている。また，ハンドヘルドターミナルのタッチ・スクリーンと，モバイルコンパニオンのタッチ・スクリーンは，筐体の操作面長手方向に沿うように並んで配置されていることが示されている。
　したがって，上記引用文献１には次の発明（以下，「引用発明」という。）が記載されていると認められる。
「筐体に収容され，価格を表示可能なタッチ・スクリーンを備え，汎用オペレーティングシステムが動作するハンドヘルドターミナルと，
　前記筐体に収容され，安全な支払取引を提供するための耐タンパ性を有し，カードを読み取るカードリーダと，秘密にＰＩＮを入力することができるピンパッドと，タッチ・スクリーンとを有するモバイルコンパニオンと，を備え，
　上記ハンドヘルドターミナルのタッチ・スクリーンと，上記モバイルコンパニオンのタッチ・スクリーンは，筐体の操作面長手方向に沿うように並んで配置されている，
　可搬型の支払い端末システム。」
２　引用文献２について
　また，原査定の拒絶の理由に引用され，原願の出願前に頒布又は電気通信回線を通じて公衆に利用可能となった引用文献２（特開２００８−２４４９９２号公報）には，図面とともに次の事項が記載されている。
Ｊ　「【００３１】
　図３に示すように，
電子機器２０は，本体部３０と，耐タンパモジュールとしてのモジュール４０と，を備えて構成される。
【００３２】
　
本体部３０は，耐タンパ性がない又は弱い部分である。
【００３３】
　ＣＰＵ３１，ＲＡＭ３３，通信部３６は，センタサーバ１０のＣＰＵ１１，ＲＡＭ１３，通信部１６と同様の構成であり，異なる部分を主として説明する。
【００３４】
　ＣＰＵ３１は，フラッシュメモリ３５に記憶されたブートプログラム３５１との協働で，アプリ部３５Ｂのハッシュ値を算出し，アプリ部３５Ｂのハッシュ値及びブート部３５Ａをモジュール４０に送信し，それらの変更が行われていないことを示すプログラムＯＫ信号をモジュール４０から受信した場合に，ブート部３５Ａ及びアプリ部３５Ｂの使用を許可し，ＩＤ情報をセンタサーバ１０に送信して認証を得て，
ＩＣカードのカード情報及び暗証情報を含む決済情報を生成しセンタサーバ１０に送信して決済処理を行う。
Ｋ　「【００４１】
　
モジュール４０は，耐タンパ性を有する。
【００４２】
　ＣＰＵ４１，ＲＡＭ４３，フラッシュメモリ４５は，本体部３０のＣＰＵ３１，ＲＡＭ３３，フラッシュメモリ３５と同様の構成であり，異なる部分を主として説明する。
【００４３】
　ＣＰＵ４１は，フラッシュメモリ４５に記憶された第１のモジュール処理プログラムとの協働で，本体部３０からアプリ部３５Ｂのハッシュ値及びブート部３５Ａ自体を受信し，ブート部３５Ａのハッシュ値を算出し，アプリ部３５Ｂのハッシュ値及び算出したブート部３５Ａのハッシュ値と，フラッシュメモリ４５に記憶されたハッシュ値４５１とが一致するか否かを判別し，一致する場合に，プログラムＯＫ信号を本体部３０に送信する。その後，
ＣＰＵ４１は，本体部３０からカード情報読み取り指示及び暗証情報入力指示を受信し，カードリーダ４４によりＩＣカードからカード情報を読み取り，入力部４２から暗証情報の入力を受付け，カード情報及び暗証情報を鍵Ｔ１で暗号化して本体部３０に送信する。
　したがって，上記引用文献２には，「耐タンパ性がない本体部と，耐タンパ性を有しＩＣカードからカード情報を読み取り入力部から暗証情報の入力を受け付けるモジュール，とからなる決済処理を行う電子機器」という技術的事項が記載されていると認められる。
３　引用文献３について
　また，原査定の拒絶の理由に引用され，原願の出願前に頒布又は電気通信回線を通じて公衆に利用可能となった引用文献３（特開２００６−１９５５９９号公報）には，図面とともに次の事項が記載されている。
Ｌ　「【００３１】
　Ｓ２：端末１の制御部１２は，カードＲ／Ｗ１１に
カードが挿入されたことを認識して
・・・（中略）・・・
【００３４】
　Ｓ５：制御部１２は，認証アプリケーションによる
ＰＩＮ入力の画面を表示し，利用者がキーボード３によりＰＩＮを入力する
　したがって，上記引用文献３には，「カードを挿入した際にＰＩＮ入力の画面を表示する」という技術的事項が記載されていると認められる。
４　引用文献４について
　また，原査定の拒絶の理由に引用され，原願の出願前に頒布又は電気通信回線を通じて公衆に利用可能となった引用文献４（特開２０１１−１３８４７７号公報）には，図面とともに次の事項が記載されている。
Ｍ　「【００４７】
　
状態報知部１１４は，状態決定部１１３により決定された状態をハードウェアデバイス３００に報知させる。状態報知部１１４は，ハードウェアデバイス３００のうち，セキュアな実行環境からはアクセス可能であって，非セキュアな実行環境からはアクセス不可能であるハードウェアデバイスに，状態を報知させる。
…（中略）…
【００５２】
　
フック部１１６は，あらかじめ決められた特定処理が実行環境により実行される場合に，当該処理をフックし，状態報知部１１４による報知処理を追加する。フック部１１６が機能する場合，情報処理装置１０は，特定処理を実行する前や実行中に，情報処理装置１０の状態をユーザに報知する。ここにおける「特定処理」は，典型的には安全性に関連する処理であり，例えば，重要な情報（暗証番号等の個人情報など）の入力を促す処理や当該情報を表示する処理，ユーザに何らかの選択や設定を促す処理，データ通信を開始する処理などである。状態報知部１１４は，特定処理をフックして報知を行う場合には，他の場合と異なる態様で報知を行わせてもよい。
　したがって，上記引用文献４には，「情報処理装置に係る，暗証番号を入力する特定処理を実行中である状態や，安全性に関する状態を表示する状態報知部」という技術的事項が記載されていると認められる。
第４　対比・判断
１　本願発明１について
（１）対比
　本願発明１と引用発明とを対比すると，次のことがいえる。
ア　引用発明は「可搬型の支払い端末システム」の発明であるところ，これは本願発明１の「可搬型決済端末装置」に相当するものである。
イ　引用発明の「ハンドヘルドターミナル」は，「筐体に収容され，価格を表示可能なタッチ・スクリーンを備え，汎用オペレーティングシステムが動作する」ものであるところ，“汎用オペレーティングシステム（ＯＳ）が動作する第１の情報処理部”とみることができ，また，引用発明の「筐体に収容され，価格を表示可能なタッチ・スクリーン」が本願発明１の「筐体に収容され，決済に関する金額等を表示する第１の入力表示部」に相当するといえる。
　一方，本願発明１の「第１の情報処理部」は「決済アプリケーション以外の業務アプリケーションを単独で実行する非セキュアな」ものであり，「業務アプリケーション」を実行することからすると，“汎用オペレーティングシステム（ＯＳ）が動作する”ことは明らかである。
　そうすると，引用発明の「筐体に収容され，価格を表示可能なタッチ・スクリーンを備え，汎用オペレーティングシステムが動作するハンドヘルドターミナル」と，本願発明１の「筐体に収容され，決済に関する金額等を表示する第１の入力表示部を備え，決済アプリケーション以外の業務アプリケーションを単独で実行する非セキュアな第１の情報処理部」とは，後記する点で相違するものの，“筐体に収容され，決済に関する金額等を表示する第１の入力表示部を備え，汎用オペレーティングシステム（ＯＳ）が動作する第１の情報処理部”である点において共通するものである。
ウ　引用発明の「前記筐体に収容され，安全な支払取引を提供するための耐タンパ性を有し，カードを読み取るカードリーダと，秘密にＰＩＮを入力することができるピンパッドと，タッチ・スクリーンとを有するモバイルコンパニオン」について，上記ＰＩＮは“カードが正当な者によって保有されているか否かの認証に用いられる認証情報”であるといえ，また，「モバイルコンパニオン」は「ＰＩＮ」を用いた“認証処理”を単独で実行し，耐タンパ性を有していることから，“認証情報を用いた認証処理を単独で実行する耐タンパ性を有するセキュア”な情報処理部とみることができる。
　そうすると，引用発明の「前記筐体に収容され，安全な支払取引を提供するための耐タンパ性を有し，カードを読み取るカードリーダと，秘密にＰＩＮを入力することができるピンパッドと，タッチ・スクリーンとを有するモバイルコンパニオン」と，本願発明１の「前記筐体に収容され，決済に用いられるカードが正当な者によって保有されているか否かの認証に用いられる認証情報が入力されるとともに，前記カードの認証に必要な認証情報の入力表示を行う第２の入力表示部とを備え，前記決済アプリケーションで実行される決済処理の一部を構成する前記認証情報を用いた認証処理を単独で実行する耐タンパ性を有するセキュアな第２の情報処理部」とは，後記する点で相違するものの，“前記筐体に収容され，決済に用いられるカードが正当な者によって保有されているか否かの認証に用いられる認証情報が入力されるとともに，表示を行う第２の入力表示部とを備え，前記認証情報を用いた認証処理を単独で実行する耐タンパ性を有するセキュアな第２の情報処理部”である点で共通するといえる。
エ　引用発明では，「上記ハンドヘルドターミナルのタッチ・スクリーンと，上記モバイルコンパニオンのタッチ・スクリーンは，筐体の操作面長手方向に沿うように並んで配置されている」ところ，上記イ，ウでの検討より，引用発明の「ハンドヘルドターミナルのタッチ・スクリーン」，「モバイルコンパニオンのタッチ・スクリーン」は，それぞれ本願発明１の「第１の入力表示部」，「第２の入力表示部」に対応することから，“第１の入力表示部と第２の入力表示部とは，筐体の操作面長手方向に沿うように並んで配置される”といえる。
　そうすると，引用発明の「上記ハンドヘルドターミナルのタッチ・スクリーンと，上記モバイルコンパニオンのタッチ・スクリーンは，筐体の操作面長手方向に沿うように並んで配置されている」ことと，本願発明１の「前記第１の入力表示部と前記第２の入力表示部とは，矩形状となる前記筐体の操作面長手方向に沿うように並んで配置され」ていることとは，後記する点で相違するものの，“前記第１の入力表示部と前記第２の入力表示部とは，前記筐体の操作面長手方向に沿うように並んで配置される”点で共通するといえる。
　したがって，本願発明１と引用発明との間には，次の一致点，相違点があるといえる。
（一致点）
「筐体に収容され，決済に関する金額等を表示する第１の入力表示部を備え，汎用オペレーティングシステム（ＯＳ）が動作する第１の情報処理部と，
　前記筐体に収容され，決済に用いられるカードが正当な者によって保有されているか否かの認証に用いられる認証情報が入力されるとともに，表示を行う第２の入力表示部とを備え，前記認証情報を用いた認証処理を単独で実行する耐タンパ性を有するセキュアな第２の情報処理部と，を備え，
　前記第１の入力表示部と前記第２の入力表示部とは，前記筐体の操作面長手方向に沿うように並んで配置される，
　可搬型決済端末装置。」
（相違点）
（相違点１）
　本願発明１の「第１の情報処理部」は，「決済アプリケーション及びその他の業務アプリケーションを実行する」もので，「非セキュアな」ものであるのに対して，引用発明の「ハンドヘルドターミナル」は，そのような点について特定されていない点。
（相違点２）
　本願発明１は，「カードの認証に必要な認証情報の入力表示を行う第２の入力表示部」を備えるのに対して，引用発明の「モバイルコンパニオン」の「タッチ・スクリーン」は，そのように特定されていない点。
（相違点３）
　本願発明１の「第２の情報処理部」は，「決済アプリケーションで実行される決済処理の一部を構成する前記認証情報を用いた認証処理を単独で実行する」のに対して，引用発明の「モバイルコンパニオン」は，認証処理を単独で実行するものの，決済アプリケーションで実行される決済処理の一部を構成する認証処理を実行することは特定されていない点。
（相違点４）
　本願発明１は，「耐タンパ性を有するセキュアモードであることを示すセキュア表示，又は，耐タンパ性を有しない非セキュアモードであることを示す非セキュア表示を，前記第１の情報処理部のセキュア状態フラグの変更に応じた，前記第２の情報処理部の点灯および消灯の制御により行うセキュア状態表示部」を備えるのに対して，引用発明はそのように特定されていない点。
（相違点５）
　本願発明１では，「決済アプリケーションは，前記第１の情報処理部と前記第２の情報処理部との協働によって実行され」るのに対して，引用発明はそのように特定されていない点。
（相違点６）
　本願発明１の「筐体」は「矩形状」であるのに対して，引用発明の「筐体」はそのように特定されていない点。
（２）相違点についての判断
ア　相違点４について
　事案に鑑みて，上記相違点４を先に検討すると，引用発明では，「モバイルコンパニオン」は耐タンパ性を有するセキュアな第２の情報処理部であるものの，「ハンドヘルドターミナル」は非セキュアな第１の情報処理部であるかどうかは特定されていないことから，「ハンドヘルドターミナル」の動作時に，耐タンパ性を有するセキュアモードであることを示すセキュア表示，又は，耐タンパ性を有しない非セキュアモードであることを示す非セキュア表示を行うこととする動機付けがあるとはいえない。
　また，引用文献４に記載されるように，情報処理装置において，暗証番号を入力する特定処理を実行中である状態や，安全性に関する状態を表示する状態報知部を備える旨の技術は，原願の出願前には当該技術分野において公知であったが，非セキュアな第１の情報処理部のセキュア状態フラグの変更に応じて，セキュアな第２の情報処理部が点灯および消灯の制御を行うことで，セキュアモードであることを示すセキュア表示，又は，非セキュアモードであることを示す非セキュア表示を行う旨の技術は，上記引用文献２−４には記載されておらず，原願の出願前に当該技術分野において周知技術であったとまではいえず，当業者が適宜に選択し得た設計的事項であるとすることもできない。
　そうすると，引用発明において，耐タンパ性を有するセキュアモードであることを示すセキュア表示，又は，耐タンパ性を有しない非セキュアモードであることを示す非セキュア表示を，ハンドヘルドターミナルのセキュア状態フラグの変更に応じた，モバイルコンパニオンの点灯および消灯の制御により行うセキュア状態表示部を備えること，すなわち，本願発明１の上記相違点４に係る構成とすることは，当業者が適宜なし得たものであるとすることはできない。
イ　まとめ
　上記相違点１−３，５−６について判断するまでもなく，本願発明１は，当業者であっても，引用発明，及び引用文献２−４に記載された技術的事項に基づいて容易に発明できたものとはいえない。
２　本願発明２−３について
　本願発明２−３は，本願発明１を減縮した発明であり，本願発明１の
「耐タンパ性を有するセキュアモードであることを示すセキュア表示，又は，耐タンパ性を有しない非セキュアモードであることを示す非セキュア表示を，前記第１の情報処理部のセキュア状態フラグの変更に応じた，前記第２の情報処理部の点灯および消灯の制御により行うセキュア状態表示部」（以下，「相違点４に係る構成」という。）
と同一の構成を備えるものであるから，本願発明１と同じ理由により，当業者であっても，引用発明，及び引用文献２−４に記載された技術的事項に基づいて容易に発明できたものとはいえない。
第５　原査定の概要及び原査定についての判断
　原査定は，請求項１−３について上記引用文献１−４に記載された発明及び周知技術に基づいて，当業者が容易に発明できたものであるから，特許法第２９条第２項の規定により特許を受けることができない，また，請求項１−３について，「媒体」，「筐体の操作面長手方向」が明確でないから，特許法第３６条第６項第２号に規定する要件を満たしていない，というものである。
　しかしながら，平成３０年１０月１日付け手続補正により補正された請求項１−３は，
「耐タンパ性を有するセキュアモードであることを示すセキュア表示，又は，耐タンパ性を有しない非セキュアモードであることを示す非セキュア表示を，前記第１の情報処理部のセキュア状態フラグの変更に応じた，前記第２の情報処理部の点灯および消灯の制御により行うセキュア状態表示部」
の構成を有するものとなっており，「媒体」は「カード」，「筐体の操作面長手方向」は「矩形状となる前記筐体の操作面長手方向」と補正された。
　よって，上記のとおり，本願発明１−３は，引用発明，及び引用文献２−４に記載された技術的事項に基づいて，当業者が容易に発明できたものではない。また，本願発明１−３は，明確でないとはいえない。
　したがって，原査定を維持することはできない。
第６　当審拒絶理由について
＜特許法第３６条第６項第２号について＞
１　当審では，請求項１の「耐タンパ性を有するセキュアモードであることを示すセキュア表示，又は，耐タンパ性を有しない非セキュアモードであることを示す非セキュア表示を行うセキュア状態表示部」について，「第１の情報処理部」，「第２の情報処理部」との関係が不明瞭であり，それにより，「決済アプリケーション」が「第１の情報処理部」と「第２の情報処理部」との協働によって実行される中，「セキュア状態表示部」がどのように制御されて，「セキュア表示」又は「非セキュア表示」を行う構成として特定されているのか明確でないとの拒絶の理由を通知しているが，平成３０年１０月１日付けの手続補正により，
「耐タンパ性を有するセキュアモードであることを示すセキュア表示，又は，耐タンパ性を有しない非セキュアモードであることを示す非セキュア表示を，前記第１の情報処理部のセキュア状態フラグの変更に応じた，前記第２の情報処理部の点灯および消灯の制御により行うセキュア状態表示部」
と補正された結果，この拒絶の理由は解消した。
２　また，請求項１を引用する請求項２−３についても同様に，補正によりこの拒絶の理由は解消した。
第７　むすび
　以上のとおり，本願発明１−３は，当業者が引用発明，及び引用文献２−４に記載された技術的事項に基づいて容易に発明をすることができたものではない。
　したがって，原査定の理由によっては，本願を拒絶することはできない。
　また，他に本願を拒絶すべき理由を発見しない。
　よって，結論のとおり審決する。